(57)【特許請求の範囲】
【請求項１】
原稿が載置される載置板を含む筐体と、
前記載置板に沿って移動し、前記原稿に向けて光を照射する光源ユニットと、
前記光源ユニットと連動して前記筐体内で前記原稿からの反射光の光路を規定するミラーユニットと、
前記光源ユニット及び前記ミラーユニットのうち一方のユニットに回動可能に取り付けられるロック部材と、を備え、
前記筐体は、前記光源ユニット及び前記ミラーユニットを固定するために摺動操作される操作部材と、前記操作部材を摺動可能に保持する摺動面を含み、
前記ロック部材は、前記操作部材の摺動に伴って、前記操作部材と、前記光源ユニット及び前記ミラーユニットのうち他方のユニットと、に係合する係合位置と、前記操作部材と前記他方のユニットとの間の係合が解除される解除位置との間で回動することを特徴とする読取装置。
【請求項２】
前記操作部材は、前記ロック部材の回転を許容する第１開口部を規定する第１縁部を含み、
前記ロック部材は、前記第１開口部に挿通される第１ロックアームを含み、
前記第１ロックアームには、前記ロック部材が前記係合位置にあるときに前記第１縁部が挿入される第１スリットが形成されることを特徴とする請求項１に記載の読取装置。
【請求項３】
前記ミラーユニットは、前記摺動面に沿う固定面を含み、
前記光源ユニットは、前記固定面に対して突出する係合片を含み、
前記係合片は、前記ロック部材の回転を許容する第２開口部を規定する第２縁部を含み、
前記ロック部材は、前記第２開口部に挿通される第２ロックアームを含み、
前記第２ロックアームには、前記ロック部材が前記係合位置にあるときに前記第２縁部が挿入される第２スリットが形成されることを特徴とする請求項２に記載の読取装置。
【請求項４】
前記解除位置に向けて前記ロック部材を付勢する付勢部材を更に備えることを特徴とする請求項３に記載の読取装置。
【請求項５】
前記第１縁部は、前記ロック部材が前記係合位置にあるときに前記第１スリットに挿入されるロック挿入縁と、前記ロック部材が前記係合位置にあるときに前記第１ロックアームと当接し、前記解除位置への回動を規制する規制縁と、を含むことを特徴とする請求項４に記載の読取装置。
【請求項６】
前記ロック部材は、前記固定面に回転可能に固定されることを特徴とする請求項３乃至５のいずれか１項に記載の読取装置。
【請求項７】
前記光源ユニット及び前記ミラーユニットは、前記摺動面に対して、離間する方向及び近接する方向に移動可能であり、
前記光源ユニット及び前記ミラーユニットが前記摺動面に沿って整列すると、前記係合位置に配設された前記ロック部材は、前記第１開口部及び前記第２開口部を通じて、前記操作部材及び前記光源ユニットに係合することを特徴とする請求項６に記載の読取装置。
【請求項８】
前記反射光に基づき、前記原稿の画像データを生成するデータ生成部を更に備え、
前記ミラーユニットは、前記光源ユニットと前記データ生成部との間の所定の光学的距離を保ちつつ、前記筐体内で移動することを特徴とする請求項７に記載の読取装置。
【請求項９】
請求項８に記載の読取装置と、
前記画像データに基づき画像を形成する画像形成部と、を備えることを特徴とする画像形成装置。
【発明の詳細な説明】
【技術分野】
【０００１】
本発明は、原稿上の画像を読み取る読取装置と、当該読取装置を備える画像形成装置に関する。
【背景技術】
【０００２】
コピー機やスキャナー装置といった画像形成装置は、多くの場合、透明な載置板と、載置板の下方で移動する光源ユニットと、光源ユニットと連動して移動するミラーユニットと、原稿からの反射光に基づき原稿の画像データを生成する光学素子（例えば、ＣＣＤカメラ）を備える。使用者は、載置板上に原稿を載置することができる。光源ユニットは、移動しながら発光し、原稿からの反射光をミラーユニットへ伝搬させる。ミラーユニットは、ＣＣＤカメラと光源ユニットとの間で所定の光学的距離が保たれるように移動する（例えば、特許文献１乃至３を参照）。
【０００３】
上述のミラーユニットと光源ユニットとの連動は、典型的には、ワイヤ及びワイヤの張力を一定に保つためのバネ部材を用いて達成される。
【先行技術文献】
【特許文献】
【０００４】
【特許文献１】特開２００１−２３５８１０号公報
【特許文献２】特開平７−２３４４５５号公報
【特許文献３】特開平７−２４０８２１号公報
【発明の概要】
【発明が解決しようとする課題】
【０００５】
読取装置は、様々な光学的部材を含む。原稿に対する高い読取精度を維持するため、読取装置が輸送されるときには、読取装置の内部の光学的部材は、適切に固定される必要がある。
【０００６】
上述の如く、ミラーユニット及び光源ユニットは、互いに機械的に接続されているので、従来、読取装置の輸送時には、一方のユニットのみの固定で十分であると考えられてきた。
【０００７】
しかしながら、本発明者は、一方のユニットのみの固定では、輸送中に大きな衝撃によって他方のユニットが影響を受けることを見出した。
【０００８】
本発明は、読取装置の輸送の間、読取装置の光学的設定を適切に保持することができる構造を備える読取装置と、当該読取装置を備える画像形成装置を提供することを目的とする。
【課題を解決するための手段】
【０００９】
本発明の一局面に係る読取装置は、原稿が載置される載置板を含む筐体と、前記載置板に沿って移動し、前記原稿に向けて光を照射する光源ユニットと、前記光源ユニットと連動して前記筐体内で前記原稿からの反射光の光路を規定するミラーユニットと、前記光源ユニット及び前記ミラーユニットのうち一方のユニットに回動可能に取り付けられるロック部材と、を備え、前記筐体は、前記光源ユニット及び前記ミラーユニットを固定するために摺動操作される操作部材と、該操作部材を摺動可能に保持する摺動面を含み、前記ロック部材は、前記操作部材の摺動に伴って、前記操作部材と、前記光源ユニット及び前記ミラーユニットのうち他方のユニットと、に係合する係合位置と、前記操作部材と前記他方のユニットとの間の係合が解除される解除位置との間で回動することを特徴とする（請求項１）。
【００１０】
上記構成によれば、光源ユニットは、原稿が載置された載置板に沿って移動し、光を原稿に向けて照射する。ミラーユニットは、光源ユニットと連動して筐体内で前記原稿からの反射光の光路を規定する。操作部材は、摺動面に沿って摺動され、光源ユニット及びミラーユニットを固定するために用いられる。光源ユニット及びミラーユニットのうち一方のユニットに回動可能に取り付けられるロック部材は、操作部材の摺動に伴って、操作部材と、光源ユニット及びミラーユニットのうち他方のユニットと、に係合する係合位置と、操作部材と他方のユニットとの間の係合が解除される解除位置との間で回動する。したがって、使用者は、読取装置の輸送時に、操作部材を操作し、ロック部材を係合位置に回動させることができる。光源ユニット及びミラーユニットは、ロック部材によって直接的に操作部材に接続されるので、読取装置の光学的設定は適切に保持される。加えて、使用者は、操作部材を操作し、ロック部材を解除位置に回動させると、光源ユニット及びミラーユニットは、ともに、操作部材から解放される。したがって、光源ユニット及びミラーユニットは、原稿の画像を読み取るための動作を実行することができる。
【００１１】
上記構成において、前記操作部材は、前記ロック部材の回転を許容する第１開口部を規定する第１縁部を含み、前記ロック部材は、前記第１開口部に挿通される第１ロックアームを含み、該第１ロックアームには、前記ロック部材が前記係合位置にあるときに前記第１縁部が挿入される第１スリットが形成されることが好ましい（請求項２）。
【００１２】
上記構成によれば、操作部材は、ロック部材の回転を許容する第１開口部を規定する第１縁部を含む。ロック部材は、第１開口部に挿通される第１ロックアームを含む。ロック部材が係合位置にあるときに、第１ロックアームに形成された第１スリットには、第１縁部が挿入されるので、ロック部材は、係合位置で適切に保持される。かくして、光源ユニット及びミラーユニットは、ロック部材によって直接的に操作部材に接続されるので、読取装置の光学的設定は適切に保持される。
【００１３】
上記構成において、前記光源ユニットは、前記ミラーユニットは、前記摺動面に沿う固定面を含み、前記固定面に対して突出する係合片を含み、該係合片は、前記ロック部材の回転を許容する第２開口部を規定する第２縁部を含み、前記ロック部材は、前記第２開口部に挿通される第２ロックアームを含み、該第２ロックアームには、前記ロック部材が前記係合位置にあるときに前記第２縁部が挿入される第２スリットが形成されることが好ましい（請求項３）。
【００１４】
上記構成によれば、光源ユニットは、固定面に対して突出する係合片を含む。係合片は、ロック部材の回転を許容する第２開口部を規定する第２縁部を含む。ロック部材は、第２開口部に挿通される第２ロックアームを含む。ロック部材が係合位置にあるときに、第２ロックアームに形成された第２スリットには、第２縁部が挿入されるので、ロック部材は、係合位置で適切に保持される。かくして、光源ユニット及びミラーユニットは、ロック部材によって直接的に操作部材に接続されるので、読取装置の光学的設定は適切に保持される。
【００１５】
上記構成において、読取装置は、前記解除位置に向けて前記ロック部材を付勢する付勢部材を更に備えることが好ましい（請求項４）。
【００１６】
上記構成によれば、読取装置は、解除位置に向けてロック部材を付勢する付勢部材を更に備えるので、操作部材の操作に伴って、ロック部材は自動的に解除位置に回動する。この結果、光源ユニット及びミラーユニットは、ともに、操作部材から解放される。したがって、光源ユニット及びミラーユニットは、原稿の画像を読み取るための動作を実行することができる。
【００１７】
上記構成において、前記第１縁部は、前記ロック部材が前記係合位置にあるときに前記第１スリットに挿入されるロック挿入縁と、前記ロック部材が前記係合位置にあるときに前記第１ロックアームと当接し、前記解除位置への回動を規制する規制縁と、を含むことが好ましい（請求項５）。
【００１８】
上記構成によれば、ロック部材が係合位置にあるとき、第１縁のロック挿入縁は、第１スリットに挿入される。ロック部材が係合位置にあるとき、第１縁の規制縁は、第１ロックアームと当接し、解除位置への回動を規制する。したがって、係合位置から解除位置への意図しないロック部材の回動は生じにくくなる。
【００１９】
上記構成において、前記ロック部材は、前記固定面に回転可能に固定されることが好ましい（請求項６）。
【００２０】
上記構成によれば、ミラーユニットは、摺動面に沿う固定面を含む。ロック部材は、固定面に回転可能に固定される。したがって、使用者は、読取装置の輸送時に、操作部材を操作し、ロック部材を係合位置に回動させることができる。光源ユニット及びミラーユニットは、ロック部材によって直接的に操作部材に接続されるので、読取装置の光学的設定は適切に保持される。
【００２１】
上記構成において、前記光源ユニット及び前記ミラーユニットは、前記摺動面に対して、離間する方向及び近接する方向に移動可能であり、前記光源ユニット及び前記ミラーユニットが前記摺動面に沿って整列すると、前記係合位置に配設された前記ロック部材は、前記第１開口部及び前記第２開口部を通じて、前記操作部材及び前記光源ユニットに係合することが好ましい（請求項７）。
【００２２】
上記構成によれば、光源ユニット及びミラーユニットは、摺動面に対して、離間する方向及び近接する方向に移動可能である。光源ユニット及びミラーユニットが摺動面に沿って整列すると、係合位置に配設されたロック部材は、第１開口部及び第２開口部を通じて、操作部材及び光源ユニットに係合するので、読取装置の光学的設定は適切に保持される。
【００２３】
上記構成において、読取装置は、前記反射光に基づき、前記原稿の画像データを生成するデータ生成部を更に備え、前記ミラーユニットは、前記光源ユニットと前記データ生成部との間の所定の光学的距離を保ちつつ、前記筐体内で移動することが好ましい（請求項８）。
【００２４】
上記構成によれば、読取装置は、反射光に基づき、原稿の画像データを生成するデータ生成部を更に備える。ミラーユニットは、光源ユニットとデータ生成部との間の所定の光学的距離を保ちつつ、筐体内で移動するので、データ生成部は、画像データを適切に生成することができる。
【００２５】
本発明の他の局面に係る画像形成装置は、上述の読取装置と、前記画像データに基づき画像を形成する画像形成部と、を備えることが好ましい（請求項９）。
【００２６】
上記構成によれば、上述の読取装置が生成した画像データの基づき画像が形成される。したがって、適切に保持された光学的設定化で取得された画像データに基づき、画像が形成される。
【発明の効果】
【００２７】
本発明に係る読取装置及び画像形成装置は、輸送の間においても、読取装置の光学的設定を適切に保持することができる。
【図面の簡単な説明】
【００２８】
【図１】画像形成装置として例示される複写機の概略的な斜視図である。
【図２】図１に示される複写機の内部構造の概略断面図である。
【図３】図１に示される複写機が備える読取装置の概略的な斜視図である。
【図４】図３に示される読取装置のミラーユニットの概略的な斜視図である。
【図５Ａ】図３に示される読取装置のロック部材（解除位置）の拡大斜視図である。
【図５Ｂ】図３に示される読取装置のロック部材（係合位置）の拡大斜視図である。
【図６】図５Ａ及び図５Ｂに示されるロック部材の接続部の概略的な拡大斜視図である。
【図７】図３に示される読取装置の光源ユニットの概略的な斜視図である。
【図８】図４に示されるミラーユニットに接続された光源ユニットの概略的な斜視図である。
【図９】図３に示される読取装置の操作板を保持する左壁の概略図である。
【図１０】図９に示される操作板及び係合板に係合するロック部材の概略斜視図である。
【図１１】図９に示される操作板及び係合板に係合するロック部材の概略図である。
【発明を実施するための形態】
【００２９】
以下、図面を参照しつつ、読取装置及び画像形成装置の一実施形態が説明される。尚、以下の説明で用いられる「上」、「下」、「左」、「右」、「正面」や「背面」などの方向を表す用語は、単に、説明の明瞭化を目的とするものであり、読取装置及び画像形成装置の原理を限定するものではない。尚、以下の説明においては、「正面」との用語は、使用者が画像形成装置を操作する側を意味し、「背面」との用語は、画像形成装置の「正面」と反対の方向を意味する。（図１参照）。更に、以下の説明で用いられる「シート」との用語は、コピー用紙、トレーシングペーパー、厚紙、ＯＨＰシートや画像を形成することが可能な他のシートを意味する。
【００３０】
＜画像形成装置＞
図１は、画像形成装置として例示される複写機１００の概略的な斜視図である。尚、画像形成装置として、スキャナー装置や原稿の画像を読み取ることができる装置を搭載した他の装置が用いられてもよい。
【００３１】
複写機１００は、画像を形成するための様々な装置を収容する主筐体１１０を備える。主筐体１１０は、後述される読取装置を収容する上部筐体１２０と、上部筐体１２０の下方に設置される下部筐体１３０と、上部筐体１２０と下部筐体１３０との間に配設された中間筐体１４０と、を含む。
【００３２】
複写機１００は、下部筐体１３０に収容されたカセット１５０を更に備える。使用者は、カセット１５０を前方に引き出し、カセット１５０内にシートを収容することができる。その後、使用者は、カセット１５０を下部筐体１３０内に押し入れることができる。
【００３３】
複写機１００は、シートに画像を形成する画像形成部（後述される）を備える。下部筐体１３０は、画像形成部を収容する。画像形成部は、カセット１５０から搬送されたシートに画像を形成する。
【００３４】
複写機１００は、画像形成後のシートを排出するための排出機構（後述される）を備える。中間筐体１４０は、排出機構を収容する。上部筐体１２０と下部筐体１３０との間には、空間Ｒが形成される。中間筐体１４０内の排出機構は、空間Ｒにシートを排出する。下部筐体１３０の上面１３１には、排出されたシートが蓄積される。
【００３５】
複写機１００は、上部筐体１２０の上面を覆うカバー部材１６０を更に備える。カバー部材１６０は、主筐体１１０に対して回動自在に取り付けられる。使用者は、カバー部材１６０を上方に回動することができる。カバー部材１６０が上方に回動されると、原稿が載置される硝子板（後述される）が現れる。使用者は、カバー部材１６０上に原稿を載置した後、カバー部材１６０を下方へ回動することができる。この結果、原稿は、カバー部材１６０と硝子板との間で安定的に保持される。
【００３６】
尚、カバー部材１６０は、硝子板上へ自動的に原稿を送り込むことができる機構を備えてもよい。このような機構として、様々な既知の複写機に用いられている原稿給紙機構が例示される。
【００３７】
図２は、複写機１００の内部の構造の概略断面図である。図１及び図２を用いて、複写機１００の内部構造が説明される。
【００３８】
上述の如く、複写機１００は、原稿の画像を読み取る読取装置２００を備える。読取装置２００は、上部筐体１２０内に配設される。
【００３９】
読取装置２００は、上述の硝子板２１０に加えて、硝子板２１０の下方で左右に移動する光源ユニット２２０を備える。光源ユニット２２０は、硝子板２１０上に載置された原稿に向けて光を照射する光源部２２１と、原稿からの反射光を受ける第１ミラー２２２と、を備える。本実施形態において、透明な硝子板２１０は、載置板として例示される。代替的に、原稿を適切に支持し、原稿への入射光及び原稿からの反射光を透過させることができる他の部材（例えば、透明なプラスチック板）が載置板として用いられてもよい。
【００４０】
読取装置２００は、原稿からの反射光に基づき、原稿の画像に関するデータ（以下、画像データと称される）を生成するＣＣＤカメラ２３０と、ＣＣＤカメラ２３０と光源ユニット２２０との間で反射光の光路を規定するミラーユニット２４０と、を更に備える。光源ユニット２２０の第１ミラー２２２は、ミラーユニット２４０に向けて原稿からの反射光を反射させる。ミラーユニット２４０は、第１ミラー２２２からの反射光を受ける第２ミラー２４１と、第２ミラー２４１の下方に配設された第３ミラー２４２と、を含む。第２ミラー２４１は、第１ミラー２２２からの反射光を第３ミラー２４２に向けて反射する。第３ミラー２４２は、第２ミラー２４１からの反射光をＣＣＤカメラ２３０に向けて反射する。ＣＣＤカメラ２３０は、反射光を受光し、反射光の色相や強度に基づいて、画像データを生成する。本実施形態において、ＣＣＤカメラ２３０は、データ生成部として例示される。
【００４１】
ミラーユニット２４０は、光源ユニット２２０の水平移動に連動して、左右に移動し、光源ユニット２２０とＣＣＤカメラ２３０との間の光路長を一定に保つ。この結果、ＣＣＤカメラ２３０は、適切に、画像データを生成することができる。ＣＣＤカメラ２３０が生成した画像データは、上述の画像形成部４００による画像形成に利用される。尚、画像形成部４００の構造は、後述される。
【００４２】
尚、光源ユニット２２０及びミラーユニット２４０を連動させる駆動機構として、既知の複写機に用いられている機構が用いられてもよい。ＣＣＤカメラ２３０に代えて、原稿からの反射光に基づいて、画像データを生成することができる他の光学的装置（例えば、ＣＭＯＳカメラ）が用いられてもよい。
【００４３】
複写機１００は、上述のカセット１５０から画像形成部４００までシートＳを搬送並びに案内する給紙機構３００を更に備える。上述の如く、カセット１５０内には、シートＳの束が収容される。カセット１５０は、シートＳの束の一端を押し上げる。給紙機構３００は、カセット１５０内で押し上げられたシートＳの束に当接するピックアップローラー３１０を備える。ピックアップローラー３１０は回転し、カセット１５０からシートＳを引き出す。
【００４４】
給紙機構３００は、ピックアップローラー３１０から引き出されたシートＳを下流へ搬送する給紙ローラー３２０と、ピックアップローラー３１０から引き出されたシートＳをカセット１５０に向けて押し戻すように回転する分離ローラー３２５と、を更に備える。ピックアップローラー３１０が複数のシートＳをカセット１５０から引き出すならば、給紙ローラー３２０に直接的に接触するシートＳのみが下流へ搬送される一方で、他のシートＳはカセット１５０へ押し戻される。ピックアップローラー３１０が１枚のシートＳを引き出すならば、給紙ローラー３２０は、分離ローラー３２５に打ち勝ち、シートＳを下流へ搬送する。かくして、シートＳは、１枚ずつ下流へ搬送される。
【００４５】
給紙機構３００は、給紙ローラー３２０からのシートＳを画像形成部４００へ中継するレジストローラー対３３０を更に備える。レジストローラー対３３０は、画像形成部４００での画像形成工程に合わせて、画像形成部４００へシートＳを送り込む。
【００４６】
給紙機構として、シートを画像形成部へ搬送することができる他の様々な既知の構造が採用されてもよい。例えば、分離ローラー３２５に代えて、シートＳに摩擦力を加えるパッドや、トルクに応じて回転の制御がなされるローラー構造が用いられてもよい。
【００４７】
画像形成部４００は、下部筐体１３０内で回転する感光体ドラム４１０と、感光体ドラム４１０の周面を略一様に帯電させる帯電器４２０と、を備える。画像形成部４００は、略一様に帯電された感光体ドラム４１０の周面にレーザ光を照射する露光装置４３０を更に備える。露光装置４３０は、上述の画像データに従って、レーザ光を走査する。この結果、取得された画像データに対応する静電潜像が感光体ドラム４１０の周面に形成される。
【００４８】
画像形成部４００は、静電潜像が形成された感光体ドラム４１０の周面にトナーを供給する現像装置４４０を更に備える。現像装置４４０からのトナー供給の結果、静電潜像は現像（可視化）され、画像形成部４００の周面にトナー画像が形成される。
【００４９】
画像形成部４００は、転写ローラー４５０を更に備える。レジストローラー対３３０から送られたシートＳは、感光体ドラム４１０と転写ローラー４５０との間を通過する。この間、感光体ドラム４１０の周面のトナー画像は、静電気的に、シートＳへ乗り移る。かくして、シートＳ上へのトナー画像の転写が完了する。
【００５０】
画像形成部４００は、トナー画像の転写後に残存するトナーを感光体ドラム４１０から除去するクリーニング装置４６０を更に備える。クリーニング装置４６０によって清浄化された感光体ドラム４１０の周面は、帯電器４２０によって再度帯電される。
【００５１】
本実施形態において、画像形成部４００は、単色のトナー画像をシートＳに形成する。代替的に、複数の色相のトナーを用いて画像を形成する既知の画像形成部が用いられてもよい。
【００５２】
本実施形態において、画像形成部４００は、粉末状のトナーを用いて、トナー画像を形成する。代替的に、液状の現像剤を用いて、静電潜像が現像されてもよい。
【００５３】
複写機１００は、シートＳに転写されたトナー画像を定着させる定着ユニット５００を更に備える。定着ユニット５００は、熱源（図示せず）が内蔵された加熱ローラー５１０と、トナー画像をシートＳに定着させるための定着ローラー５２０と、加熱ローラー５１０及び定着ローラー５２０の周囲を周回する加熱ベルト５３０と、定着ローラー５２０に押しつけられる加圧ローラー５４０と、を備える。加熱ローラー５１０は、加熱ベルト５３０を加熱する。加熱ベルト５３０は、その後、定着ローラー５２０と加圧ローラー５４０との間を通過する。シートＳは、定着ローラー５２０を取り巻く加熱ベルト５３０と加圧ローラー５４０との間を通過する。加圧ローラー５４０は、シートＳ上のトナー画像を加熱ベルト５３０に押しつける。この結果、トナー画像はシートＳに定着される。
【００５４】
定着ユニットとして、シートＳ上のトナーを定着させることができる他の構造が採用されてもよい。例えば、トナー画像を定着させるための熱源として、誘導加熱ユニットが用いられてもよい。代替的に、シートＳ上のトナー画像は、加熱されたローラーに直接的に押しつけられてもよい。既知の複写機において、トナー画像を定着させるために用いられている既知の設備の構造が定着ユニットに適用されてもよい。
【００５５】
本実施形態において、上述の排出機構として、排出ローラー対５９０が用いられる。排出ローラー対５９０は、上部筐体１２０と下部筐体１３０との間の空間Ｒに、トナー画像の定着処理後のシートＳを排出する。
【００５６】
本実施形態において、複写機１００は、シートＳの一方の面にトナー画像を形成する。追加的に、複写機は、シートの両面にトナー画像を形成するための既知の装置を備えてもよい。
【００５７】
＜読取装置＞
図３は、上述の読取装置２００の概略的な斜視図である。図１乃至図３を用いて、読取装置２００が説明される。
【００５８】
読取装置２００は、上述の硝子板２１０を支持する筐体２０５を更に備える。上述の光源ユニット２２０、ミラーユニット２４０及びＣＣＤカメラ２３０は、筐体２０５内に収容される。
【００５９】
筐体２０５は、上部筐体１２０内で適切に保持される。筐体２０５に取り付けられた硝子板２１０は、筐体２０５が上部筐体１２０に取り付けられると、上部筐体１２０の上面に露出する。
【００６０】
筐体２０５は、左壁２０６と、左壁２０６とは反対側の右壁２０７と、左壁２０６及び右壁２０７の間で延びる正面壁２０８と、正面壁２０８とは反対側の背面壁２０９と、を含む。筐体２０５は、左壁２０６の外面に取り付けられた操作板２１５を更に備える。左壁２０６の外面は、操作板２１５を摺動可能に保持する。
【００６１】
操作板２１５は、背面壁２０９に対して突出する取手部２１６を含む。図１に示される如く、取手部２１６は、複写機１００の筐体１１０外に現れる。使用者は、筐体１１０外に現れた取手部２１６を動かし、操作板２１５を操作することができる。後述されるように、操作板２１５は、光源ユニット２２０及びミラーユニット２４０を読取装置２００の輸送時に固定するために用いられる。読取装置２００の輸送（複写機１００の輸送）の後、使用者は操作板２１５を再度操作し、光源ユニット２２０及びミラーユニット２４０の固定を解除することができる。固定の解除処理後、筐体２０５内の光源ユニット２２０及びミラーユニット２４０は、左壁２０６と右壁２０７との間で往復移動することができる。尚、取手部は、複写機の筐体内に収容されてもよい。この場合、使用者は、複写機の筐体の一部（例えば、外装板）を取り外し、取手部を握持並びに操作してもよい。本実施形態において、操作板２１５は、左壁２０６の外面に沿って摺動する。したがって、左壁２０６の外面は、摺動面として例示される。
【００６２】
図４は、ミラーユニット２４０の概略的な斜視図である。図２乃至図４を用いて、ミラーユニット２４０が説明される。
【００６３】
ミラーユニット２４０は、筐体２０５の左壁２０６に対向する対向面２４５を更に備える。対向面２４５は、左壁２０６に沿う方向（即ち、略平行）に延びる。読取装置２００は、対向面２４５に回動可能に取り付けられた略Ｌ字状のロック部材２５０と、ロック部材２５０と対向面２４５とを接続するネジ２５１と、を更に備える。ロック部材２５０は、ネジ２５１を中心に回動する。ロック部材２５０が取り付けられた対向面２４５は、固定面として例示される。
【００６４】
ロック部材２５０は、左壁２０６に向けて突出する第１ロックアーム２５２と、対向面２４５に沿う方向に延びる第２ロックアーム２５３とを含む。対向面２４５には、左壁２０６に向けて突出する突起部２４６が形成される。
【００６５】
図４に示されるロック部材２５０の位置は、以下の説明において、解除位置と称される。解除位置において、ロック部材２５０は、操作板２１５及び光源ユニット２２０に係合しない。突起部２４６は、解除位置にあるロック部材２５０の第２ロックアーム２５３と当接し、第２ロックアーム２５３の更に下方への回動を防止する。したがって、ロック部材２５０の解除位置は、突起部２４６と第２ロックアーム２５３との当接によって規定される。
【００６６】
ミラーユニット２４０は、対向面２４５の上縁から左壁２０６に向けて突出する突出壁２４７を更に備える。突出壁２４７には、略Ｃ字状の切欠部２４８が形成される。第２ロックアーム２５３は、切欠部２４８を通じて、上方に回動することができる。
【００６７】
図５Ａは、解除位置にあるロック部材２５０の拡大斜視図である。図５Ｂは、係合位置にあるロック部材２５０の拡大斜視図である。図２乃至図５Ｂを用いて、ロック部材２５０の解除位置及び係合位置が説明される。
【００６８】
上述の如く、対向面２４５に取り付けられたロック部材２５０は、ネジ２５１を中心に回転する。解除位置から略９０°上方に回動したロック部材２５０の位置は、係合位置である。
【００６９】
第１ロックアーム２５２には、第１スリット２５４が形成される。ロック部材２５０が解除位置にあるとき、第１スリット２５４は、正面方向に開口する。ロック部材２５０が係合位置にあるとき、第１スリット２５４は、下方に開口する。後述されるように、下方に開口した第１スリット２５４に上述の操作板２１５が挿入される。
【００７０】
第２ロックアーム２５３には、第２スリット２５５が形成される。ロック部材２５０が解除位置にあるとき、第２スリット２５５は、上方に開口する。ロック部材２５０が係合位置にあるとき、第２スリット２５５は、正面方向に開口する。後述されるように、正面方向に開口した第２スリット２５５に上述の光源ユニット２２０が挿入される。
【００７１】
図６は、ロック部材２５０と対向面２４５との接続部の概略的な拡大斜視図である。図５Ａ乃至図６を用いて、ロック部材２５０が更に説明される。
【００７２】
ロック部材２５０は、上述のネジ２５１に加えて、捻りバネ２５６を用いて、対向面２４５に取り付けられる。捻りバネ２５６は、解除位置に向けてロック部材２５０を付勢する。本実施形態において、捻りバネ２５６は、付勢部材として例示される。
【００７３】
図７は、光源ユニット２２０の概略的な斜視図である。図８は、ミラーユニット２４０に取り付けられたロック部材２５０によってミラーユニット２４０に接続された光源ユニット２２０の概略的な斜視図である。図３、図５Ｂ、図７及び図８を用いて、ロック部材２５０と光源ユニット２２０との間の係合が説明される。
【００７４】
ミラーユニット２４０及び光源ユニット２２０は、左壁２０６から離間する方向及び左壁２０６に近接する方向に移動可能である。図８に示されるように、使用者は、光源ユニット２２０及びミラーユニット２４０を固定するために、光源ユニット２２０及びミラーユニット２４０を左壁２０６に近接させ、左壁２０６に沿って整列させることができる。図８において、光源ユニット２２０は、ミラーユニット２４０の上に配置される。
【００７５】
光源ユニット２２０は、対向面２４５に対して被さるように左壁２０６に向けて突出する係合板２２５を更に備える。係合板２２５には、解除位置から上方に向けて回動するロック部材２５０の第２ロックアーム２５３と干渉しないよう背面から正面に向けて延びる長穴２２６が形成される。第２ロックアーム２５３が長穴２２６を通じて、係合位置に到達すると、長穴２２６の正面端部を規定する縁部は、第２スリット２５５（図５Ｂ参照）に挿入される。本実施形態において、係合板２２５は、係合片として例示される。また、長穴２２６は、第２開口部として例示される。長穴２２６の正面端部を規定する縁部は、第２縁部として例示される。
【００７６】
図９は、操作板２１５を保持する左壁２０６の概略図である。図３、図６及び図９を用いて、操作板２１５の保持構造が説明される。
【００７７】
操作板２１５は、背面から正面に向けて延びる。また、操作板２１５は、正面方向及び背面方向に向けて往復移動可能である。
【００７８】
操作板２１５には、略矩形の開口部２１９が形成される。ロック部材２５０の第１ロックアーム２５２は、開口部２１９を介して操作板２１５から突出する。ロック部材２５０が解除位置と係合位置との間で回動するとき、第１ロックアーム２５２は、開口部２１９内で回転移動する。本実施形態において、開口部２１９は、第１開口部として例示される。
【００７９】
開口部２１９の輪郭は、上縁２８１、上縁２８１に対向する下縁２８２、上縁２８１と下縁２８２との間で延びる正面縁２８３と、正面縁２８３に対向する背面縁２８４と、を含む。本実施形態において、上縁２８１、下縁２８２、正面縁２８３及び背面縁２８４は、第１縁として例示される。
【００８０】
使用者が背面方向に操作板２１５を移動させると、背面縁２８４は第１ロックアーム２５２から離間しようとする。このとき、ロック部材２５０は、捻りバネ２５６の付勢力によって、背面縁２８４の移動に追従し、解除位置に向けて回動する。
【００８１】
図６に示される如く、第１ロックアーム２５２は、干渉縁２５９を含む。ロック部材２５０が解除位置に存する間、干渉縁２５９は、背面縁２８４に対向する。使用者が正面方向に操作板２１５を移動させると、操作板２１５は第１ロックアーム２５２の干渉縁２５９と干渉する。
【００８２】
図６に示される如く突起部２４６は、解除位置に存するロック部材２５０の姿勢を斜めにする。したがって、干渉縁２５９と背面縁２８４との干渉の結果、ロック部材２５０は、ネジ２５１を中心に上方に回転する。この間、第１ロックアーム２５２は、開口部２１９内で回転する。この結果、ロック部材２５０は、係合位置へ回動する。
【００８３】
左壁２０６は、操作板２１５の上縁及び下縁を保持する爪部２９９を備える。操作板２１５の先端には、正面に向けて開口したスリット２９８が形成される。左壁２０６には、スリット２９８に突出する突出部２９７を更に備える。かくして、操作板２１５は左壁２０６に適切に保持され、且つ、操作板２１５は、左壁２０６に沿って安定的に摺動することができる。
【００８４】
図１０及び図１１は、操作板２１５及び係合板２２５に係合するロック部材２５０を概略的に示す。尚、図１０及び図１１には、左壁２０６は示されていない。図５Ｂ、図６、図８、図１０及び図１１を用いて、ロック部材２５０が説明される。
【００８５】
ロック部材２５０が係合位置に到達すると、下縁２８２は、第１ロックアーム２５２に形成された第１スリット２５４に挿入される。かくして、係合位置にあるロック部材２５０は、係合板２２５と操作板２１５とに係合される。本実施形態において、下縁２８２は、ロック挿入縁として例示される。
【００８６】
背面縁２８４は、係合位置にあるロック部材２５０の第１ロックアーム２５２の直立した面に当接する。この結果、操作板２１５の正面への移動は規制される。尚、第２スリット２５５の周縁が長穴２２６の周縁に接触し、操作板２１５の移動が規制されてもよい。
背面縁２８４は、捻りバネ２５６の付勢力に抗し、ロック部材２５０の解除位置への回動を規制する。本実施形態において、背面縁２８４は、規制縁として例示される。尚、背面縁２８４に代えて、ロック部材２５０の回動を規制する他の縁部が規制縁として用いられてもよい。
【００８７】
使用者が操作板２１５を背面方向に移動させると、背面縁２８４は、第１ロックアーム２５２の直立した面から離間する。この結果、捻りバネ２５６の付勢力によって、ロック部材２５０は、解除位置に向けて回動する。
【００８８】
本実施形態において、ロック部材２５０は、ミラーユニット２４０に取り付けられる。代替的に、光源ユニットに接続されたロック部材がミラーユニット及び操作部材に係合してもよい。
【産業上の利用可能性】
【００８９】
上述の実施形態の原理は、原稿からの反射光を利用して原稿の画像を読み取る読取装置及び当該読取装置によって読み取られた画像を形成する様々な画像形成装置に適用される。
【符号の説明】
【００９０】
１００・・・・・複写機（画像形成装置）
２００・・・・・読取装置
２０５・・・・・筐体
２０６・・・・・左壁
２１０・・・・・硝子板（載置板）
２１５・・・・・操作板（操作部材）
２１９・・・・・開口部（第１開口部）
２２０・・・・・光源ユニット
２２５・・・・・係合板（係合片）
２２６・・・・・長穴（第２開口部）
２３０・・・・・ＣＣＤカメラ（データ生成部）
２４０・・・・・ミラーユニット
２４５・・・・・対向面（固定面）
２５０・・・・・ロック部材
２５２・・・・・第１ロックアーム
２５３・・・・・第２ロックアーム
２５４・・・・・第１スリット
２５５・・・・・第２スリット
２５６・・・・・捻りバネ（付勢部材）
２８１・・・・・上縁（第１縁部）
２８２・・・・・下縁（第１縁部：ロック挿入縁）
２８３・・・・・正面縁（第１縁部）
２８４・・・・・背面縁（第２縁部：規制縁）
４００・・・・・画像形成部
【図１】
0005481437.tif 000002
【図２】
0005481437.tif 000003
【図３】
0005481437.tif 000004
【図４】
0005481437.tif 000005
【図５Ａ】
0005481437.tif 000006
【図５Ｂ】
0005481437.tif 000007
【図６】
0005481437.tif 000008
【図７】
0005481437.tif 000009
【図８】
0005481437.tif 000010
【図９】
0005481437.tif 000011
【図１０】
0005481437.tif 000012
【図１１】
0005481437.tif 000013